(57)【要約】      （修正有）【課題】吐出器からの取り外しを防止することができる、新規な吐出器用のストッパーを提供する。【解決手段】ストッパー１は、ベース１１を貫通する導管の上端に取り付けられたヘッド１３の押し下げにより導管を通して送られた内容物を外界に吐出する吐出器に用いられ、ヘッド１３とベース１１との間に介在させて、ヘッド１３の押し下げを阻止するものである。ヘッドとベースとの間から取り外し可能な側壁２と、この側壁２とヒンジ３を介して開閉可能に合さる補助側壁４とを有し、側壁２の外周面には、貫通孔を形成した把持部５が設けられている一方、補助側壁４には、側壁２と合せた状態で、貫通孔を通って把持部５に視認可能に掛り止めされる一方、側壁２から開くとき、補助側壁４から分離される係止片が設けられ、更に、ヒンジ３は、補助側壁４の操作により切断可能な薄肉部で構成されている。【選択図】図４
2010172861.tif 000002
【特許請求の範囲】
【請求項１】
ベースを貫通する導管の上端に取り付けられたヘッドの押し下げにより導管を通して送られた内容物を外界に吐出する吐出器に用いられ、ヘッドとベースとの間に介在させて、ヘッドの押し下げを阻止する、吐出器用のストッパーであって、
当該ストッパーは、ヘッドとベースとの間から取り外し可能な側壁と、この側壁とヒンジを介して開閉可能に合さる補助側壁とを有し、
側壁の外周面には、貫通孔を形成した突起部が設けられている一方、
補助側壁には、側壁と合せた状態で、突起部に形成した貫通孔を通って当該突起部に視認可能に掛り止めされる一方、側壁から開くとき、当該補助側壁から分離される係止片が設けられ、更に、
ヒンジは、補助側壁の操作により切断可能に構成されたものであることを特徴とする、吐出器用のストッパー。
【請求項２】
請求項１において、係止片が、補助側壁を開閉するために用いられるタブと一体に設けられていることを特徴とする、吐出器用のストッパー。
【請求項３】
請求項１又は２において、係止片は、突起部に掛り止めされた状態で当該突起部から突出するものであることを特徴とする、吐出器用のストッパー。
【請求項４】
請求項１又は２において、係止片は、突起部に掛り止めされた状態で貫通孔に収納されるものであることを特徴とする、吐出器用のストッパー。
【請求項５】
請求項１乃至４のいずれか１項において、側壁が、ヘッドの接触を防止する保護カバーを一体に有するものであることを特徴とする、吐出器用のストッパー。
【発明の詳細な説明】
【技術分野】
【０００１】
本発明は、ベースを貫通する導管の上端に取り付けられたヘッドの押し下げにより導管を通して送られた内容物を外界に吐出する吐出器に用いられ、ヘッドとベースとの間に介在させて、ヘッドの押し下げを阻止する、吐出器用のストッパーに関するものである。
【背景技術】
【０００２】
吐出器の誤動作を防止するストッパーとしては、筒体の一部を軸線方向に沿って開放させることで、容器キャップから突出する導管から取り外し可能に収納するものがある（例えば、特許文献１参照）。
【先行技術文献】
【特許文献】
【０００３】
【特許文献１】実公昭６３−３３６４６号公報
【発明の概要】
【発明が解決しようとする課題】
【０００４】
しかしながら、従来のストッパーは、導管からの着脱が常時可能であるため、流通時における取り外しも可能である。このため、従来のストッパーは、吐出器からの取り外しを防止するための手段として、シュリンクフィルムで包装したり、ラベルを貼り付ける等、ストッパーとは別体の部材を用いなければならなかった。
【０００５】
本発明は、こうした事実認識に基づいてなされたものであり、その目的とするところは、別部材を用いることなく、吐出器からの取り外しを防止することができる、新規な吐出器用のストッパーを提供することにある。
【課題を解決するための手段】
【０００６】
本発明は、ベースを貫通する導管の上端に取り付けられたヘッドの押し下げにより導管を通して送られた内容物を外界に吐出する吐出器に用いられ、ヘッドとベースとの間に介在させて、ヘッドの押し下げを阻止する、吐出器用のストッパーであって、
当該ストッパーは、ヘッドとベースとの間からの取り外しが可能な側壁と、この側壁とヒンジを介して開閉可能に合さる補助側壁とを有し、
側壁の外周面には、貫通孔を形成した突起部が設けられている一方、
補助側壁には、側壁と合せた状態で、突起部に形成した貫通孔を通って当該突起部に視認可能に掛り止めされる一方、側壁から開くとき、当該補助側壁から分離される係止片が設けられ、更に、ヒンジは、補助側壁の操作により切断可能に構成されたものであることを特徴とするものである。
【０００７】
側壁は、ヘッドとベースとの間から取り外し可能なものであれば、ベース、導管及びヘッドの少なくともいずれか一つに対して取り外し可能な構成であればよい。また、補助側壁の操作によりヒンジを切断可能にする構成としては、例えば、切断予定線を薄肉で構成し、複数のスリット（開口）で構成し、又は、これらを組み合わせて構成するものが挙げられる。
【０００８】
本発明によれば、係止片は補助側壁に設けるが、当該補助側壁は側壁に対して開閉するため、この開閉動作の際に用いられるタブを補助側壁に設ける場合には、当該タブと一体に設けることができる。
【０００９】
また、係止片は、掛り止めされた状態で視認できれば、補助側壁の外周面のいずれにも設けることができるが、突起部に掛り止めされた状態で当該突起部から突出するものとすることも、突起部に掛り止めされた状態で貫通孔に収納されるものとすることもできる。
【００１０】
更に、本発明に従えば、側壁には、ヘッドの接触を防止する保護カバーを一体に設けることができる。
【発明の効果】
【００１１】
本発明は、側壁にヒンジを介して補助側壁を繋ぎ、当該補助側壁に設けた係止片を側壁に設けた突起部に視認可能に掛り止めることで構成されるため、補助側壁を開く等、外部からの積極的な操作が行われないと、吐出器から取り外すことができない。従って、本発明によれば、別部材を用いることなく、吐出器からの取り外しを防止することができる。
【００１２】
また、本発明は、吐出器から取り外すとき、補助側壁を操作して側壁から開かなければならないが、補助側壁を開くときに係止片は補助側壁から分離される。これにより、使用者は係止片の有無により取り外し行為があったかどうかを判断できる。
【００１３】
加えて、本発明は、吐出器から取り外すため補助側壁を操作すると、当該補助側壁と側壁とを繋ぐヒンジが切断される。これにより、使用者はヒンジの状態によっても取り外し行為があったかどうかを判断できる。
【００１４】
特に、係止片を補助側壁の開閉する際に用いられるタブと一体に設ければ、補助側壁の操作に起因した外力が係止片の分離に効率的に作用するため、僅かな取り外し行為があった場合にも、かかる行為の有無を容易に判断することができる。
【００１５】
また、係止片を突起部に掛り止めされた状態で当該突起部から突出するものとすれば、係止片の有無を比較的容易に認識できるので、取り外し行為の判断に有効である。
【００１６】
或いは、係止片を突起部に掛り止めされた状態で貫通孔に収納されるものとすれば、係止片が未開封時において邪魔にならないため、省スペース化を図りつつ、取り外し行為を判断することができる。
【００１７】
更に、側壁に、ヘッドの接触を防止する保護カバーを一体に設ければ、吐出器からの取り外し防止と共に、ストッパー本来の機能である、ヘッドの押し下げを確実に防止することができる。
【図面の簡単な説明】
【００１８】
【図１】本発明の第１の形態である容器用ポンプのストッパーが、当該ポンプに装着された状態を模式的に示す正面図である。
【図２】図１の一部断面図である。
【図３】同形態のストッパーが、当該ポンプに装着された状態を模式的に示す側面図である。
【図４】同形態のストッパーが、当該ポンプに装着された状態を模式的に示す平面図である。
【図５】図１のＸ−Ｘ断面図である。
【図６】(a),(b)はそれぞれ、同形態のストッパーの開放状態を模式的に示す正面図及び、そのＹ−Ｙ断面図である。
【図７】(a),(b)はそれぞれ、同形態のストッパーに係る係止片が掛り止めされた状態及び分離された状態を模式的に示す要部断面図であり、(c)は、本発明の第２の形態である容器用ポンプのストッパーの要部を模式的に示す要部断面図である。
【図８】(a),(b)はそれぞれ、本発明の第３及び第４の形態である容器用ポンプのストッパーの要部を模式的に示す要部断面図である。
【図９】本発明の第４の形態である容器用ポンプのストッパーを模式的に示す斜視図である。
【発明を実施するための形態】
【００１９】
以下、図面を参照して、本発明の一形態を詳細に説明する。
【００２０】
容器用ポンプ１０は、図１に示すように、容器口部に螺着される装着筒（ベース）１１と、この装着筒１１から一体に起立する周壁１１ａ（図２等参照）の内側を貫通して当該装着筒１１の下側に配置したポンプＰに繋がる導管１２と、この導管１２の先端に取り付けられたヘッド１３とを備える。ヘッド１３は、ノズル１３ａを有し、当該ヘッド１３を上下動させることでポンプ作用を生起させる。
【００２１】
ポンプＰは、図２に示すように、シリンダＰ1に配置したピストンＰ2を導管１２に連結したピストンガイドＰ3で保持すると共に、当該ピストンガイドＰ3の内側でポンププランジャＰ4を保持した既存のポンプである。
【００２２】
ストッパー１は、その上端及び下端がそれぞれ、押圧ヘッド１３の下端及び装着筒１１の上端に接触することで、押圧ヘッド１３の押し下げを阻止する、合成樹脂からなる一体成形品である。
【００２３】
ストッパー１は、図５に示すように、周壁１１ａに包囲された導管１２を取り囲む取り外し可能な側壁２と、この側壁２とヒンジ３を介して開閉可能に合さって当該側壁２と共に筒体を形成する補助側壁４とを有する。
【００２４】
側壁２は、図６に示すように、筒体の一部を軸線Ｏ方向に沿って開放することで、その側端面ｆ1の相互間に開口部Ａ1が形成されている。これにより、側壁２は、図５に示すように、その開口部Ａ1を通して導管１２を周壁１１ａと共に、その横方向から収納し、また、当該周壁１１ａから取り外すことができる。なお、本形態では、側壁２の内側に、周壁１１ａを保持する複数の縦リブ２ｒが設けられている。
【００２５】
また、側壁２の外周面には、把持部５が一体に設けられている。把持部５は、側壁２から外向きに突出する基部（以下、「把持部側基部」）５ａと、この把持部側基部５ａに繋がる把持部本体５ｂとからなる。把持部側基部５ａには、貫通孔Ａ2が形成されている。貫通孔Ａ2は、図７(b)に示すように、その一部に段差５ｃを形成するように形作られている。
【００２６】
これに対し、補助側壁４は、図５に示すように、側壁２の開口部Ａ1に合さって当該開口部Ａ1を閉じる小径部４ａと、この小径部４ａに段差４ｂを介して繋がり側壁２を取り囲む大径部４ｃとを有する。これにより、補助側壁４は、ヒンジ３を介して側壁２に合せたとき、側壁２と重なり合うようにして合さることで、周壁１１ａを取り囲む筒体を形成する。
【００２７】
また補助側壁４は、更に、補助側壁４を開閉するために用いられるタブ４ｄを有する。タブ４ｄは、大径部４ｃから突出する基部（以下、「タブ側基部」）４ｄ1と、このタブ側基部４ｄ1に繋がるタブ本体４ｄ2からなる。タブ側基部４ｄ1は、図５等に示すように、補助側壁４を閉じたとき、側壁２の把持部側基部５ａに合さる一方、タブ本体４ｄ2は、把持部本体５ｂを迂回してその先端が把持部本体５ｂよりも外向きに突出する。
【００２８】
タブ側基部４ｄ1には、図６等に示すように、補助側壁４を閉じることで把持部側基部５ａに掛り止めされる係止部４ｅが設けられている。係止部４ｅは、図７に示すように、タブ側基部４ｄ1から突出する基部（以下、「係止部側基部」）４ｅ1と、この係止部側基部４ｅ1と一体に繋がる係止片４ｅ2とを有する。
【００２９】
係止片４ｅ2は、図７(a)に示すように、タブ側基部４ｄ1が把持部側基部５ａに合さったとき、貫通孔Ａ2を通って段差５ｃに引っ掛かることで、把持部側基部５ａに外部からの視認が可能なように掛り止めされる。
【００３０】
また、係止部側基部４ｅ1と係止片４ｅ2との間には薄肉部４ｅ3が設けられている。これにより、係止片４ｅ2は、図７(b)に示すように、タブ４ｄを用いて補助側壁４を開くとき、薄肉部４ｅ3が切断されることでタブ側基部４ｄ1から分離される。
【００３１】
係止片４ｅ2が分離すると、補助側壁４は、図６に示すように、ヒンジ３を基点に側壁２から開くことができるので、本発明では、ヒンジ３も図５等に示すように薄肉部として構成する。これにより、タブ４ｄを用いて補助側壁４を上向き（ヘッド１３方向）或いは下向き（装着筒１１方向）に操作すると、係止片４ｅ2が分離した後、ヒンジ３が切断される。
【００３２】
ヒンジ３が切断されると、補助側壁４は側壁２から分離されることで、容器用ポンプ１０から取り外される。この後、使用者が把持部５を用いて側壁２を外側に引っ張れば、側壁２の側端面ｆ2がそれぞれ周壁１１ａに沿って押し開かれ、開口部Ａ1が拡大することで、周壁１１ａから当該側壁２を取り外すことができる。
【００３３】
これにより、ヘッド１３の押し下げが可能になることから、容器用ポンプ１０では、ヘッド１３を上下動させることでポンプ本体Ｐでのポンプ作用を生起させることができる。
【００３４】
上述したとおり、本形態のストッパー１は、側壁２にヒンジ３を介して補助側壁４を繋ぎ、当該補助側壁４に設けた係止片４ｅ2を側壁２に設けた把持部５に掛り止めるため、補助側壁４を開く等、外部からの積極的な操作が行われないと、容器用ポンプ１０から取り外すことができない。従って、ストッパー１によれば、別部材を用いることなく、容器用ポンプ１０からの取り外しを防止することができる。
【００３５】
また、ストッパー１は、容器用ポンプ１０から取り外すとき、補助側壁４を操作して側壁２から開かなければならないが、補助側壁４を開くときに係止片４ｅ2は補助側壁４から分離される。これにより、使用者は係止片４ｅ2の有無により取り外し行為があったかどうかを判断できる。即ち、ストッパー１は、係止片４ｅ2を分離可能にしたことで、不正開封がなされたか否かを判別することができる、所謂、バージン機能を兼ね備える。
【００３６】
加えて、ストッパー１は、容器用ポンプ１０から取り外すため補助側壁４を操作すると、ヒンジ３が切断される。これにより、使用者はヒンジ３の状態によっても取り外し行為があったかどうかを判断できる。即ち、ストッパー１は、ヒンジ３を切断可能にしたことでも、バージン機能を発揮する。
【００３７】
また、本形態の如く、係止片４ｅ2を、補助側壁４を開閉する際に用いられるタブ４ｄと一体に設ければ、タブ４ｄの操作に起因した外力が係止片４ｅ2の分離に効率的に作用するため、僅かな取り外し行為があった場合にも、かかる行為の有無を容易に判断することができる。
【００３８】
加えて、ストッパー１は、図５等に示すように、係止片４ｅ2を把持部側基部５ａに掛り止めされた状態で視認可能に貫通孔Ａ2に収納している。この場合、係止片４ｅ2が未開封時において邪魔にならないため、省スペース化を図りつつ、取り外し行為を判断することができる。
【００３９】
係止片４ｅ2は、他の形態として、図７(c)に示すように、段差５ｃに対して傾斜して掛り止めされるものとすることもできる。この場合、引っ掛かりを浅くすることで、係止片４ｅ2（貫通孔Ａ2）をコンパクト化することができる。
【００４０】
また、係止片４ｅ2は、他の形態として、図８(a)に示すように、貫通孔Ａ2を形作る段差５ｃを側壁２側に形成することで掛り止めすることもできる。また、本形態のように、係止片４ｅ2を把持部側基部５ａに掛り止めされた状態で当該把持部側基部５ａから突出するものとすれば、係止片４ｅ2の有無を比較的容易に認識できるので、取り外し行為の判断に有効である。
【００４１】
係止片４ｄ2は、更に他の形態として、図８(b)に示すように、側壁２側と把持部側との両側で掛り止めすることもできる。この場合、他の形態のように、貫通孔Ａ2に段差５ｃを形作ることなく、同図に示すように、把持部側基部５ａの表面に掛り止めすることができる。
【００４２】
更に、他の形態として、図９に示すように、側壁２に、ヘッド１３の接触を防止する保護カバー６を一体に設けることもできる。この場合、容器用ポンプ１０からの取り外し防止と共に、ストッパー本来の機能である、ヘッド１３の押し下げを確実に防止することができる。
【００４３】
また、本形態では、把持部５とは別体に側壁２の外周面から突起部７を突出させ、この突起部７に形成した貫通孔Ａ2に補助側壁４の係止片４ｅ2を通して当該突起部７に視認可能に掛り止めさせている。なお、本形態の突起部７は、補助側壁４の側端面ｆ2を一体に構成することで、補助側壁４を閉じたときにタブ４ｄと合さるが、図１等に示す形態の如く、構成することも可能である。
【００４４】
上述したところは、本発明の一形態を示したに過ぎず、特許請求の範囲内において、種々の変更を加えることができる。例えば、本発明に係る側壁２は、装着筒１１とヘッド１３との間から取り外し可能な構成であれば、本形態のように装着筒１１に対して取り外し可能な構成であるものに限らず、装着筒１１、導管１２及びヘッド１３の少なくともいずれか一つに対して取り外し可能な構成とすることができる。また、各形態に採用された各構成はそれぞれ、互いに適宜組み合わせることができる。
【符号の説明】
【００４５】
１    ストッパー
２    側壁
３    ヒンジ
４    補助側壁
４ａ  小径部
４ｂ  段差
４ｃ  大径部
４ｄ  タブ
４ｄ1 タブ側基部
４ｄ2 タブ本体
４ｅ  係止部
４ｅ1 係止部側基部
４ｅ2 係止片
４ｅ3 薄肉部
５    把持部
５ａ  把持部側基部
５ｂ  把持部本体
５ｃ  把持部側段差
６    保護カバー
【図１】
2010172861.tif 000003
【図２】
2010172861.tif 000004
【図３】
2010172861.tif 000005
【図４】
2010172861.tif 000006
【図５】
2010172861.tif 000007
【図６】
2010172861.tif 000008
【図７】
2010172861.tif 000009
【図８】
2010172861.tif 000010
【図９】
2010172861.tif 000011